(57)【要約】【課題】外枠と前枠との間の隙間を極小化し、隙間を利用した不正行為を十分に防止すること。【解決手段】第１施錠装置２０は、施錠時、鉤板３２に対し、前枠施錠用金具２２により、前枠２を外枠１に近づける方向と略一致する金具拘束方向ｃの回動力が加えられると、鉤板３２の第１カム部３３ａは、ロックピン３１との圧接状態を介してロック板２６を所定方向ｂとは逆方向ｄへ回動し、その後、ロックピン３１が突起状カム部３３の頂点３３ｃを越えると、第２カム部３３ｂは、ロック板２６の所定方向ｂへの回動を許容し、引張りコイルばね２５のばね力によってロックピン３１が第２カム部３３ｂを押圧しながら移動することにより鉤板３２は金具拘束方向ｃへ回動し、係止爪部４３は前枠施錠用金具２２を外枠１側へ抱き寄せながら拘束し、ロック板２６は所定方向ｂへの回動の終端位置に達する。【選択図】図１２
2010264123.tif 000002
【特許請求の範囲】
【請求項１】
第１枠体に設けられる施錠装置本体部と、第２枠体に設けられる金具とからなる施錠装置を備えるパチンコ遊技機において、
前記施錠装置本体部は、
外周部に係止爪部と突起状カム部とを有し、前記第１枠体側の第１固定軸回りに回動可能な鉤板であって、前記係止爪部は前記金具を拘束及び解放するよう構成され、前記突起状カム部は、第１カム部と第２カム部とからなり、該第１カム部と該第２カム部との接続部位が頂点となるよう突起状に構成された鉤板と、
一端が前記第１枠体側に係止されかつ他端が前記鉤板に係止され、前記第２枠体を前記第１枠体から離す方向と略一致する金具解放方向の回動力を前記鉤板に対して作用する解放ばね部材と、
前記第１枠体側に設けられ、前記鉤板の金具解放方向への回動の終端位置を規制する鉤板回動規制部と、
前記鉤板の前記突起状カム部に圧接するロックピンを有し、前記第１枠体側の第２固定軸回りに回動可能なロック板と、
一端が前記第１枠体側に係止されかつ他端が前記ロック板に係止され、前記ロックピンを前記突起状カム部に押圧する所定方向の回動力を前記ロック板に対して作用するロックばね部材と、
前記第１枠体側に設けられ、前記ロック板の前記所定方向への回動の終端位置を規制するロック板回動規制部と、
を備え、
開錠状態のとき、前記ロックピンは前記第１カム部と接触状態に保持され、前記鉤板は前記解放ばね部材による金具解放方向の回動力を受け前記鉤板回動規制部と当接状態に保持されており、
施錠時、前記鉤板に対し、前記金具により、前記第２枠体を前記第１枠体に近づける方向と略一致する金具拘束方向の回動力が加えられると、前記鉤板の前記第１カム部は、前記ロックピンとの圧接状態を介して前記ロック板を前記所定方向とは逆方向へ回動し、その後、前記ロックピンが前記突起状カム部の頂点を越えると、前記第２カム部は、前記ロック板の前記所定方向への回動を許容し、前記ロックばね部材のばね力によって前記ロックピンが前記第２カム部を押圧しながら移動することにより前記鉤板は金具拘束方向へ回動し、前記係止爪部は前記金具を前記第１枠体側へ抱き寄せながら拘束し、前記ロック板は前記所定方向への回動の終端位置に達し、
不正行為時、外部から前記鉤板に対して金具解放方向の回動力が加えられたとき、前記ロック板回動規制部は前記ロック板の前記所定方向への回動を規制し、前記ロックピンと前記第２カム部との圧接状態を保持する
ことを特徴とするパチンコ遊技機。
【請求項２】
前記施錠装置は、外部から開錠操作力を受ける開錠部材を備え、前記係止爪部が前記金具を拘束した施錠状態にあるとき、前記開錠部材に開錠操作力が加えられると、該開錠部材は、前記ロック板に作用している前記ロックばね部材による回動力に打ち勝ち、前記ロック板を前記所定方向とは逆方向へ回動し、前記ロックピンと前記第２カム部との圧接状態を解除するよう構成され、
前記ロックピンと前記第２カム部との圧接状態が解除されると、前記鉤板が前記解放ばね部材のばね力により金具解放方向へ回動し、前記係止爪部は拘束していた前記金具を解放し、前記鉤板は前記鉤板回動規制部に当接する
ことを特徴とする請求項１に記載のパチンコ遊技機。
【請求項３】
前記第２固定軸は、前記ロック板の長手方向の一端部に配されるとともに、前記ロックピンは、前記ロック板の長手方向の他端部に配され、前記ロックばね部材の前記ロック板での係止部位は、前記ロック板の長手方向において前記第２固定軸と前記ロックピンとの中間位置に配されることを特徴とする請求項２に記載のパチンコ遊技機。
【請求項４】
前記開錠部材が前記ロック板に前記所定方向とは逆方向の回動力を作用する部位は、前記ロック板の長手方向において前記ロックばね部材の前記ロック板での係止部位と前記ロックピンとの中間位置にあることを特徴とする請求項３に記載のパチンコ遊技機。
【請求項５】
前記第１枠体は外枠であり、前記施錠装置本体部は、前記外枠の側板の内面に設けられ、かつ、前記第２枠体は前枠であり、前記金具は前記前枠の側板の内面に設けられることを特徴とする請求項１〜４のいずれかに記載のパチンコ遊技機。
【請求項６】
前記外枠に対し施錠及び開錠されるとともに前記前枠に対し施錠及び開錠される内枠を備え、前記外枠、前記前枠及び前記内枠が互いに施錠されているとき、前記外枠の前記側板の外面と前記前枠の前記側板の外面とが面一となる状態の下で前記外枠の前記側板の前端部と前記前枠の前記側板の後端部とが重なり合い、前記内枠の側板は、外部に露出しないことを特徴とする請求項５に記載のパチンコ遊技機。
【発明の詳細な説明】
【技術分野】
【０００１】
本発明は、パチンコ遊技機、詳しくは、施錠装置を備えるパチンコ遊技機に関する。
【背景技術】
【０００２】
パチンコ遊技機の施錠装置として、第１枠体に設けられる施錠装置本体部と、第２枠体に設けられる金具とからなる施錠装置であって、施錠装置本体部は、鉤板を備え、鉤板が金具の押圧力を受けて回動し、所定の回転角度まで回動したときロックピンがばね力によって鉤板と係合し鉤板をロックするよう構成された施錠装置が知られている（例えば、特許文献１参照）。
【先行技術文献】
【特許文献】
【０００３】
【特許文献１】特許第３０８７０２４号公報
【発明の概要】
【発明が解決しようとする課題】
【０００４】
しかし、上記従来の施錠装置は、ロック機構により鉤板に対する外部からの直接的な不正行為を防止することができるが、鉤板を単にロックするだけの機構であるため、第１枠体と第２枠体との間に隙間が生じ易く、この隙間を利用した不正行為を十分に防止することが難しいという問題があった。
【０００５】
本発明は、上記のような従来技術の問題点を解決し、第１枠体と第２枠体との間の隙間を極小化し、隙間を利用した不正行為を十分に防止することができるパチンコ遊技機を提供することを目的とする。
【課題を解決するための手段】
【０００６】
本発明のパチンコ遊技機は、第１枠体に設けられる施錠装置本体部と、第２枠体に設けられる金具とからなる施錠装置を備えるパチンコ遊技機において、前記施錠装置本体部は、外周部に係止爪部と突起状カム部とを有し、前記第１枠体側の第１固定軸回りに回動可能な鉤板であって、前記係止爪部は前記金具を拘束及び解放するよう構成され、前記突起状カム部は、第１カム部と第２カム部とからなり、該第１カム部と該第２カム部との接続部位が頂点となるよう突起状に構成された鉤板と、一端が前記第１枠体側に係止されかつ他端が前記鉤板に係止され、前記第２枠体を前記第１枠体から離す方向と略一致する金具解放方向の回動力を前記鉤板に対して作用する解放ばね部材と、前記第１枠体側に設けられ、前記鉤板の金具解放方向への回動の終端位置を規制する鉤板回動規制部と、前記鉤板の前記突起状カム部に圧接するロックピンを有し、前記第１枠体側の第２固定軸回りに回動可能なロック板と、一端が前記第１枠体側に係止されかつ他端が前記ロック板に係止され、前記ロックピンを前記突起状カム部に押圧する所定方向の回動力を前記ロック板に対して作用するロックばね部材と、前記第１枠体側に設けられ、前記ロック板の前記所定方向への回動の終端位置を規制するロック板回動規制部と、を備え、開錠状態のとき、前記ロックピンは前記第１カム部と接触状態に保持され、前記鉤板は前記解放ばね部材による金具解放方向の回動力を受け前記鉤板回動規制部と当接状態に保持されており、施錠時、前記鉤板に対し、前記金具により、前記第２枠体を前記第１枠体に近づける方向と略一致する金具拘束方向の回動力が加えられると、前記鉤板の前記第１カム部は、前記ロックピンとの圧接状態を介して前記ロック板を前記所定方向とは逆方向へ回動し、その後、前記ロックピンが前記突起状カム部の頂点を越えると、前記第２カム部は、前記ロック板の前記所定方向への回動を許容し、前記ロックばね部材のばね力によって前記ロックピンが前記第２カム部を押圧しながら移動することにより前記鉤板は金具拘束方向へ回動し、前記係止爪部は前記金具を前記第１枠体側へ抱き寄せながら拘束し、前記ロック板は前記所定方向への回動の終端位置に達し、不正行為時、外部から前記鉤板に対して金具解放方向の回動力が加えられたとき、前記ロック板回動規制部は前記ロック板の前記所定方向への回動を規制し、前記ロックピンと前記第２カム部との圧接状態を保持することを特徴とする。
【０００７】
本発明によると、外部から不正行為により鉤板に対して金具解放方向の回動力が加えられても、ロック板回動規制部によりロック板の所定方向への回動が規制され、ロックピンと第２カム部との圧接状態が保持されるようになるため、鉤板は金具解放方向へ回動しない。このため、係止爪部は金具を拘束した状態を保ち、不正行為を防止することができる。
【０００８】
また、施錠時、ロックピンが突起状カム部の頂点を越えると、ロックばね部材のばね力によってロックピンが第２カム部を押圧しながら移動し、係止爪部は金具を第１枠体側へ抱き寄せながら拘束するようになるため、第２枠体を第１枠体へ十分に接近させることが可能になり、第１枠体と第２枠体との間の隙間を極小化することができる。
【０００９】
ここで、前記施錠装置は、外部から開錠操作力を受ける開錠部材を備え、前記係止爪部が前記金具を拘束した施錠状態にあるとき、前記開錠部材に開錠操作力が加えられると、該開錠部材は、前記ロック板に作用している前記ロックばね部材による回動力に打ち勝ち、前記ロック板を前記所定方向とは逆方向へ回動し、前記ロックピンと前記第２カム部との圧接状態を解除するよう構成され、前記ロックピンと前記第２カム部との圧接状態が解除されると、前記鉤板が前記解放ばね部材のばね力により金具解放方向へ回動し、前記係止爪部は拘束していた前記金具を解放し、前記鉤板は前記鉤板回動規制部に当接する。
【００１０】
また、前記第２固定軸は、前記ロック板の長手方向の一端部に配されるとともに、前記ロックピンは、前記ロック板の長手方向の他端部に配され、前記ロックばね部材の前記ロック板での係止部位は、前記ロック板の長手方向において前記第２固定軸と前記ロックピンとの中間位置に配される。
【００１１】
上記のように、第２固定軸がロック板の長手方向の一端部に配されるとともにロックピンがロック板の長手方向の他端部に配されるため、施錠時、鉤板が金具拘束方向へ回動するときロックピンが鉤板の突起状カム部と圧接状態で移動する距離を短くすることができる。また、第２固定軸からロックピンまでの距離は、第２固定軸からロックばね部材の連結部位までの距離よりも長いため、ロックピンが突起状カム部の第１カム部を押圧する力を小さくすることができ、このため、施錠時に、鉤板を金具拘束方向へ回動させるために金具が鉤板に対して作用する力を小さくすることができ、施錠作業が楽になる。
【００１２】
また、前記開錠部材が前記ロック板に前記所定方向とは逆方向の回動力を作用する部位は、前記ロック板の長手方向において前記ロックばね部材の前記ロック板での係止部位と前記ロックピンとの中間位置にある。
【００１３】
第２固定軸から開錠部材がロック板に作用する部位までの距離は、第２固定軸からロックばね部材のロック板での係止部位までの距離よりも長いため、開錠部材がロック板に作用する力を小さくすることができ、このため、開錠作業が楽になる。
【００１４】
また、前記第１枠体は外枠であり、前記施錠装置本体部は、前記外枠の側板の内面に設けられ、かつ、前記第２枠体は前枠であり、前記金具は前記前枠の側板の内面に設けられる。
【００１５】
パチンコ遊技機は、外枠と前枠の他に遊技盤が取り付けられる内枠を備え、外枠と内枠、内枠と前枠、外枠と前枠がそれぞれ施錠及び開錠されるよう構成されているため、施錠装置本体部を外枠に設けるとともに金具を前枠に設けることにより、内枠を外枠と前枠とで挟む構造にすることができる。このようなサンドイッチ構造において外枠と前枠との間の隙間を極小化することができるため、内枠の遊技盤に対する不正行為を防止することが可能になる。
【００１６】
また、前記外枠に対し施錠及び開錠されるとともに前記前枠に対し施錠及び開錠される内枠を備え、前記外枠、前記前枠及び前記内枠が互いに施錠されているとき、前記外枠の前記側板の外面と前記前枠の前記側板の外面とが面一となる状態の下で前記外枠の前記側板の前端部と前記前枠の前記側板の後端部とが重なり合い、前記内枠の側板は、外部に露出しない。
【００１７】
上記のように外枠の側板の前端部と前枠の側板の後端部とが重なり合い、内枠の側板が外部に露出しないよう構成されるため、外枠の側板と前枠の側板との間の隙間を利用した不正行為が困難になる。
【図面の簡単な説明】
【００１８】
【図１】本発明の一実施形態に係るパチンコ遊技機であって、内枠に遊技盤を取り付けていないパチンコ遊技機の正面図である。
【図２】同パチンコ遊技機において外枠、前枠及び内枠を互いに開錠した状態を示す平面図である。
【図３】外枠と内枠とが施錠状態にあり、前枠が外枠及び内枠に対して開錠状態にあるときを示す平面図である。
【図４】前枠と内枠とが施錠状態にあり、外枠が前枠及び内枠に対して開錠状態にあるときを示す平面図である。
【図５】外枠、前枠及び内枠を互いに施錠した状態を示す平面図である。
【図６】外枠、前枠及び内枠を互いに開錠した状態を示す斜視図である。
【図７】外枠と内枠とが施錠状態にあり、前枠が外枠及び内枠に対して開錠状態にあるときを示す側面図である。
【図８】前枠と内枠とが施錠状態にあり、外枠が前枠及び内枠に対して開錠状態にあるときを示す側面図である。
【図９】外枠、前枠及び内枠を互いに施錠した状態を示す側面図である。
【図１０】外枠の側板の内面を示す側面図である。
【図１１】前枠の後面を示す背面図である。
【図１２】下部施錠装置の施錠装置本体部の開錠状態を示す側面図である。
【図１３】上部施錠装置の施錠装置本体部の開錠状態を示す側面図である。
【図１４】上部施錠装置の施錠装置本体部の施錠時の動作を示す側面図である。
【図１５】同じく上部施錠装置の施錠装置本体部の施錠時の動作を示す側面図である。
【図１６】上部施錠装置の施錠装置本体部の施錠状態を示す側面図である。
【図１７】上部施錠装置の施錠装置本体部の開錠時の動作を示す側面図である。
【図１８】前枠の後面の下端部に設けられた開錠装置の背面図である。
【図１９】外枠の側板の要部正面図である。
【図２０】内枠の側板の要部側面を含む斜視図である。
【図２１】開錠装置の動作を示す背面図である。
【図２２】同じく開錠装置の動作を示す背面図である。
【発明を実施するための形態】
【００１９】
以下、本発明の一実施形態を説明する。なお、本明細書において、左右方向及び回転方向は、原則として、パチンコ遊技機を正面から見たときを基準として定め、前後方向は、パチンコ遊技機自体の前後方向と一致させている。
【００２０】
図１〜図９において、本実施形態に係るパチンコ遊技機は、外枠１と前枠２と内枠３とを備える。外枠１は、パチンコ遊技機の外郭部となる枠体であり、前枠２は、遊技盤面を保護するとともに球受皿４、スピーカ５、装飾ランプ６、シリンダ錠７、発射ハンドル８などが配設される枠体であり、内枠３は、遊技盤などが取り付けられる枠体である。
【００２１】
図１及び図２に示すように、外枠１の左上コーナー部にはＬ字状の補強金具９が設けられており、この補強金具９は、前方へ延びる水平な外枠上側軸受部９ａを有している。また、外枠１の左下部には、軸受金具１０が設けられており、この軸受金具１０は、前方へ延びる水平な外枠下側軸受部１０ａを有している。内枠３の左上端部には、前方へ延びる水平板部１１ａを有する金具１１が設けられており、この水平板部１１ａの下面には、下方へ垂直に延びる内枠上側軸部１１ｂが設けられており、この内枠上側軸部１１ｂは、外枠上側軸受部９ａに対して回動自在に組み付けられる。また、内枠３の左下端部には、前方へ延びる水平板部１２ａを有する金具１２が設けられており、この水平板部１２ａの下面には、下方へ垂直に延びる内枠下側軸部（図示せず。）が設けられており、この内枠下側軸部は、外枠下側軸受部１０ａに対して回動自在に支持される。前枠２の左上端部には、上方へ垂直に延びる前枠上側軸部（図示せず。）が設けられており、この前枠上側軸部は、内枠上側軸部１１ｂに対して回動自在に保持される。前枠２の左下端部には、下方へ垂直に延びる前枠下側軸部（図示せず。）が設けられており、この前枠下側軸部は、内枠下側軸部に対して回動自在に支持される。
【００２２】
このように、内枠３は、外枠１及び前枠２に対してそれぞれ回動自在とされ、また、前枠２は、外枠１及び内枠３に対してそれぞれ回動自在とされる。
【００２３】
外枠１に対して内枠３を施錠したとき、図３に示すように内枠３は外枠の右側板１３の内側に位置し、また、内枠３に対して前枠２を施錠したとき、図４に示すように内枠３は前枠２の右側板部１４の内側に位置する。従って、外枠１、内枠３及び前枠２を互いに施錠したとき、内枠３の右側板部１５は、外枠１の右側板１３と前枠２の右側板部１４とによって覆われるようになる。
【００２４】
（１）  施錠装置
施錠装置には、外枠１に対して前枠２を施錠及び開錠する施錠装置（第１施錠装置２０）と、外枠１に対して内枠３を施錠及び開錠する施錠装置（第２施錠装置５０）と、内枠３に対して前枠２を施錠及び開錠する施錠装置（第３施錠装置６０）とがある。
【００２５】
Ａ．  第１施錠装置２０
第１施錠装置２０は、パチンコ遊技機の右端部に上下方向に所定の間隔を置いて設けられる３つの第１施錠装置２０Ａ、２０Ｂ、２０Ｃからなり、各々の第１施錠装置２０は、外枠１に設けられる施錠装置本体部２１と、前枠２に設けられる前枠施錠用金具２２（図１１）とにより構成される。
【００２６】
i)  施錠装置本体部２１（図１０、図１２〜図１７）
施錠装置本体部２１は、外枠１の金属製右側板１３の内面（左面）に上下方向に延びて形成された凹条部２３に設けられた係止突起部（第１係止突起部）２４を備える。第１係止突起部２４には、引張りコイルばね（ロックばね部材）２５の一端が係止される。第１係止突起部２４の下方には、右側板１３の左面後部から左面前部に亘り前後方向に長いロック板２６が鉛直状態で配される。ロック板２６は、右側板１３の左面後部に水平に突設された回動軸（第２固定軸）２７回りに回動可能とされる。ロック板２６は、右側板１３の左面前部と対向する位置に、第２固定軸２７を中心とする円弧状の長孔からなる係止孔部（第２係止孔部）２８を有する。この第２係止孔部２８には、右側板１３の左面前部に突設された係止突起部（第２係止突起部）２９が係留され、ロック板２６は、右側板１３の左面側に係留されるとともに円弧移動範囲が規制される。ロック板２６の前後方向の中央付近の左面下端部には、引張りコイルばね２５の他端を係止する係止部（第１係止部）３０が設けられる。引張りコイルばね２５は、ロック板２６に対し常に上方へ回動させるばね力を加えている。ロック板２６の先端部は右側板１３の前面よりも前方に位置し、ロック板２６の先端部の左面には、水平にロックピン３１が突設される。ロックピン３１は、後述するように、鉤板３２の突起状カム部３３に圧接する。ロック板２６の上面において、ロックピン３１よりも第２固定軸２７に近くかつ第１係止部３０よりも第２固定軸２７から遠い位置に、後述する開錠部材３４の押下片３５に対して下方から当接可能な作動片３６が延設される。
【００２７】
右側板１３の左面前部には、ベース板３７が鉛直状態で固定される。ベース板３７の前部は、右側板１３の前面よりも前方へ突出している。ベース板３７の前面には、前方に開口するＵ字状凹部３８が形成されている。また、ベース板３７の左面の後上部には、後述する捻りばね（解放ばね部材）３９の一端が係止される係止部（第２係止部）４０が突設される。また、ベース板３７の左面の前上部には、ストッパー部（鉤板回動規制部）４１が突設される。ストッパー部４１は、後述するように、開錠時に、鉤板３２の金具解放方向（開錠方向）ａの終端位置を規制する。
【００２８】
ベース板３７の左面には、鉤板３２が鉛直状態かつ略前傾状態で配される。鉤板３２は、ベース板３７の左面に水平に突設された回動軸（第１固定軸）４２回りに回動可能に配される。捻りばね３９のコイル部３９ａは第１固定軸４２に装着される。鉤板３２の前部は第１固定軸４２よりも前方に位置し、鉤板３２の後部は第１固定軸４２よりも後方に位置する。鉤板３２の上部には、略Ｊ字状の係止爪部４３が形成される。係止爪部４３は、施錠時に前枠施錠用金具２２から後方への押圧力を受ける受圧片４３ａと、この受圧片４３ａと対向し、施錠状態のとき前枠施錠用金具２２を拘束する拘束片４３ｂとを備えて構成される。また、鉤板３２の左面において、第１固定軸４２の前方位置に、捻りばね３９の他端が係止される係止部（第３係止部）４４が設けられる。捻りばね３９は、鉤板３２に対して常に金具解放方向（開錠方向）ａのばね力を加えている。また、鉤板３２の下部には、突起状カム部３３が形成される。突起状カム部３３は、前側に位置する第１カム部３３ａと後側に位置する第２カム部３３ｂとからなり、第１カム部３３ａと第２カム部３３ｂとの接続部位３３ｃが頂点となるよう突起状に構成される。突起状カム部３３は、ロック板２６の左面に沿って配され、ロックピン３１と常に圧接状態に保たれる。
【００２９】
外枠１の凹条部２３には、３つの第１施錠装置２０Ａ、２０Ｂ、２０Ｃに共通する長尺な板状の開錠部材３４が上下方向へ移動可能に収容される。開錠部材３４には、第１係止突起部２４に対応して、上下方向に長い長孔からなる係止孔部（第１係止孔部）４５が設けられている。第１係止突起部２４は第１係止孔部４５に係留され、開錠部材３４は、凹条部２３に係留されるとともに上下方向の移動範囲が規制される。開錠部材３４の前面の前方には、押下片３５が延設されている。押下片３５は、後述するように、開錠時に外部から開錠部材３４に対して開錠操作力が加えられたとき、ロック板２６の作動片３６を押下する。また、各押下片３５は、後述するように、施錠時には、開錠時とは反対に、ロック板２６の作動片３６により押し上げられる。
【００３０】
開錠部材３４の下部には、図１２に示すように、左方へ突出しさらに前方へ突出した平面視Ｌ字状の前枠開錠用作動片（第１前枠開錠用作動片）４６が設けられる。この第１前枠開錠用作動片４６は、後述するように、開錠装置７０の前枠開錠用レバー７１の前枠開錠用押下片７１ａにより上方から押下力を受ける。
【００３１】
ii)  前枠施錠用金具２２（図１１）
前枠施錠用金具２２は、ピン形状をしており、前枠２の右端部に設けられる。前枠２は、右側板部１４を備え、右側板部１４の左面には縦長の金属製板部１６が固定され、この金属製板部１６の左面に前枠施錠用金具２２が水平に突設される。前枠施錠用金具２２の高さ位置は、対応する施錠装置本体部２１のベース板３７におけるＵ字状凹部３８の位置に合致している。
【００３２】
iii)  動作
ａ．  開錠状態（図１２）
外枠１に対して前枠２が開錠状態にあるとき、施錠装置本体部２１は、図１２及び図１３に示す状態にある。図１２及び図１３において、鉤板３２は、捻りばね３９により時計回り方向（金具解放方向ａ）の付勢力を受け、係止爪部４３はベース板３７のストッパー部４１と当接状態にあり、係止爪部４３は、前方へ開口し、前枠施錠用金具２２を受け入れ可能な状態にある。この状態では、鉤板３２は略斜めに前傾した状態にある。また、ロック板２６は、引張りコイルばね２５により反時計回り方向ｂの付勢力を受け、ロックピン３１は鉤板３２の突起状カム部３３の第１カム部３３ａと圧接状態にある。
【００３３】
ｂ．  施錠時（図１３〜図１５）
このような開錠状態の外枠１に前枠２を施錠するには、前枠２の右端部を外枠１の右端部に押し付けるようにする。このとき、前枠２の前枠施錠用金具２２は、鉤板３２の係止爪部４３の受圧片４３ａを後方へ押圧する。受圧片４３ａに前枠施錠用金具２２からの押圧力を受けた鉤板３２は、捻りばね３９及び引張りコイルばね２５の各付勢力に抗して後方（反時計回り方向、金具拘束方向、施錠方向）ｃへ回動し、突起状カム部３３の第１カム部３３ａは、ロック板２６のロックピン３１を介してロック板２６を下方（時計回り方向ｄ）へ回動する。このため、ロックピン３１は、第１カム部３３ａと圧接しながら移動し、図１４に示すように、第１カム部３３ａと第２カム部３３ｂとの接続部位３３ｃ（突起状カム部３３の頂点）まで達する。この間、引張りコイルばね２５は伸長してゆく。ロックピン３１が突起状カム部３３の頂点３３ｃに達したときには、鉤板３２は略鉛直な状態にあり、前枠施錠用金具２２は、ベース板３７のＵ字状凹部３８において係止爪部４３に収容された状態となる。
【００３４】
ロックピン３１が突起状カム部３３の頂点３３ｃに達した後は、第２カム部３３ｂがロックピン３１の上方への移動を許容する状態にあることから、ロックピン３１が突起状カム部３３の頂点３３ｃに達する間に伸長した引張りコイルばね２５の弾性復帰力により、ロック板２６は、今度は反時計回り方向ｂへ回動する。ロック板２６が反時計回り方向ｂへ回動するとき、ロック板２６の作動片３６は開錠部材３４の押下片３５を押上げ、開錠部材３４は上方へ移動する。そして、ロックピン３１が第２カム部３３ｂの終端位置に達したとき、開錠部材３４の第１係止孔部４５の下端が第１係止突起部２４に当接し、開錠部材３４の上方への移動は終了する。また、ロック板２６が反時計回り方向ｂへ回動するとき、ロックピン３１は第２カム部３３ｂと圧接状態を保ちながら移動するよう構成される。すなわち、第２カム部３３ｂのカム形状は、ロックピン３１が第２カム部３３ｂと圧接しながら移動する間、ロックピン３１によって鉤板３２を反時計回り方向（金具拘束方向）ｃへ回動させるよう構成されている。このため、ロック板２６が反時計回り方向ｂへ回動する間、鉤板３２の係止爪部４３は、前枠施錠用金具２２を後方へ押圧するように回動する。ロックピン３１が第２カム部３３ｂの終端位置に達した状態は、鉤板３２の係止爪部４３の拘束片４３ｂが前枠施錠用金具２２を後方へ押圧している状態に対応する。
【００３５】
ｃ．  施錠状態（図１６）
このような一連の動作を経て、外枠１に対して前枠２が施錠されるようになる。施錠状態においては、図１７に示すように、ロックピン３１の高さ位置は、第２固定軸２７の高さ位置よりも高い位置にあり、また、ロックピン３１と第２カム部３３ｂとの当接位置は、第１固定軸４２の略真下に位置する。このため、施錠状態にある鉤板３２に対して外部から不正行為が行われ、鉤板３２に対して時計回り方向（金具解放方向）ａの回動力が加えられたとき、ロック板２６は時計回り方向ｄへ回動することはなく、ロックピン３１が第２カム部３３ｂから頂点３３ｃを経て第１カム部３３ａへ移動し、鉤板３２が前枠施錠用金具２２を解放することはできない。また、第１係止突起部２４が開錠部材３４の第１係止孔部４５の下端と当接し、開錠部材３４が上昇不能な状態にあるため、ロック板２６は反時計回り方向ｂへ回動することができない。従って、不正行為により、鉤板３２に対して時計回り方向（金具解放方向）ａの回動力が加えられても、鉤板３２の係止爪部４３は前枠施錠用金具２２を拘束し続けることができる。
【００３６】
また、施錠状態においては、鉤板３２の後面は鉛直に近い状態にあると共に、鉤板３２の後面の近くに開錠部材３４の押下片３５が位置している。このため、施錠状態にある鉤板３２に対して外部から不正行為が行われ、鉤板３２に対して上記とは逆に反時計回り方向ｃの回動力が加えられたとき、押下片３５は鉤板３２と当接して鉤板３２から力を受けるようになるが、この力は押下片３５を後方に移動させる力として押下片３５に作用するため、開錠部材３４は凹条部２３の後面に押し付けられ、開錠部材３４は下方へ移動しない。従って、押下片３５はロック板２６の作動片３６を押下げることはなく、ロック板２６は施錠状態のときの姿勢を維持するため、鉤板３２の係止爪部４３は前枠施錠用金具２２を拘束し続けることができる。
【００３７】
ｄ．  開錠時（図１７）
後述する開錠装置７０のシリンダ錠７が操作され、開錠部材３４の第１前枠開錠用作動片４６が下方への押圧力を受けると、開錠部材３４は凹条部２３内を所定距離だけ下方へ移動するようになる。この開錠部材３４の下方への移動に伴い、開錠部材３４の押下片３５はロック板２６の作動片３６を押下げ、ロック板２６は時計回り方向ｄへ回動する。ロック板２６の時計回り方向ｄへの回動に伴い、ロックピン３１は、鉤板３２の第２カム部３３ｂと圧接しながら頂点３３ｃへと移動し、頂点３３ｃに達した後は、捻りばね３９のばね力により、鉤板３２は時計回り方向（金具解放方向）ａへ瞬時に回動し、係止爪部４３の拘束片４３ｂが前枠施錠用金具２２を解放すると共に、係止爪部４３の受圧片４３ａがベース板３７のストッパー部４１に当接する。その後、シリンダ錠７への操作を解除したとき、引張りコイルばね２５のばね力によりロック板２６は反時計回り方向ｂへ回動する。このロック板２６の反時計回り方向ｂへの回動に伴い、ロックピン３１は第１カム部３３ａに圧接するようになり、また、開錠部材３４の押下片３５はロック板２６の作動片３６により押上げられ、開錠部材３４は、凹条部２３内を所定距離だけ上方へ移動し、第１施錠装置２０は開錠状態となる。
【００３８】
Ｂ．  第２施錠装置５０（図６、図１０、図１２、図１９）
第２施錠装置５０は、内枠３の右側部に設けられる内枠施錠用バネ係止孔部５１（図６）と、外枠１の右側板１３における左面前部の下部に設けられる内枠施錠用係止爪部５２（図１０、図１２）とを備える。内枠施錠用係止爪部５２は、左面前部から左方へ突出した基部５２ａと基部５２ａの先端から前方へ突出した先端部５２ｂとを有し、平面視Ｌ字状に形成され、先端部５２ｂの下面は、水平部５２ｃと、水平部５２ｃの高さ位置よりも低い後端を有し後端から前端に向かって高さ位置が上昇する前上がりの傾斜部５２ｄとにより構成される。第２施錠装置５０は、外枠１に対して内枠３を施錠するとき、内枠３の内枠施錠用バネ係止孔部５１が外枠１の内枠施錠用係止爪部５２の先端部５２ｂの傾斜部５２ｄによって押下げられる方向へ弾性変形し、傾斜部５２ｄが内枠施錠用バネ係止孔部５１に完全に進入したとき、内枠施錠用バネ係止孔部５１は、今度は弾性復帰力により上方へ移動し、内枠施錠用係止爪部５２の先端部５２ｂを拘束するよう動作する。
【００３９】
また、第２施錠装置５０は、内枠施錠用バネ係止孔部５１の下端に延設された内枠開錠用作動片５３を備える。内枠開錠用作動片５３は、内枠３を外枠１から開錠するとき、後述する開錠装置７０の内枠開錠用押下片７２により押下げられ、内枠施錠用バネ係止孔部５１から内枠施錠用係止爪部５２の先端部５２ｂが脱出可能になり、内枠３の右側部を外枠１の右側部から引き離すことで内枠施錠用係止爪部５２の先端部５２ｂが内枠施錠用バネ係止孔部５１から脱出し、外枠１から内枠３を開錠することができる。
【００４０】
Ｃ．  第３施錠装置６０（図２、図６、図７、図１１、図１８、図２０〜図２２）
第３施錠装置６０は、内枠３の右側面の前側に設けられる前枠施錠用係止爪部６１と、前枠２の後面の下部において右側板部１４の近傍に設けられる前枠施錠用バネ係止孔部６２とを備える。前枠施錠用係止爪部６１は、前方へ突出して形成され、前枠施錠用係止爪部６１の上面は、水平部６１ａと、水平部６１ａの高さ位置よりも高い後端を有し後端から前端に向かって高さ位置が下降する前下がりの傾斜部６１ｂとにより構成される。第３施錠装置６０は、内枠３に対して前枠２を施錠するとき、前枠２の前枠施錠用バネ係止孔部６２が内枠３の前枠施錠用係止爪部６１の傾斜部６１ｂによって押上げられる方向へ弾性変形し、傾斜部６１ｂが前枠施錠用バネ係止孔部６２に完全に進入したとき、前枠施錠用バネ係止孔部６２は今度は弾性復帰力により下方へ移動し、前枠施錠用係止爪部６１の傾斜部６１ｂを拘束するよう動作する。
【００４１】
また、第３施錠装置６０は、前枠施錠用バネ係止孔部６２の上端に延設された前枠開錠用作動片（第２前枠開錠用作動片）６３を備える。第２前枠開錠用作動片６３は、前枠２を内枠３から開錠するとき、後述する開錠装置７０の前枠開錠用押上片７３により押上げられ、前枠施錠用バネ係止孔部６２から前枠施錠用係止爪部６１が脱出可能になり、前枠２の右側部を内枠３の右側部から引き離すことで前枠施錠用係止爪部６１が前枠施錠用バネ係止孔部６２から脱出し、内枠３から前枠２を開錠することができる。
【００４２】
（２）  開錠装置７０（図１〜図３、図６〜図８、図１０〜図１２、図１８〜図２２）
開錠装置７０は、前枠２の後面において、前枠施錠用バネ係止孔部６２の左方に設けられる。
【００４３】
Ａ．  構成
開錠装置７０は、シリンダ錠７（図１）を備える。開錠装置７０は、外枠１、内枠３及び前枠２が互いに施錠された状態でシリンダ錠７が時計回り方向ｅ（図１）に回動操作されると、外枠１に対して、内枠３と外枠１とを施錠状態のまま開錠することができ、一方、シリンダ錠７を反時計回り方向ｆ（図１）に回動操作すると、互いに施錠状態の外枠１及び内枠３に対して、前枠２を開錠することができるよう構成される。
【００４４】
開錠装置７０は、図１８に示すように、前枠２の後面に固定される基板７４を備える。基板７４の前面側にはシリンダ錠７が設けられる。基板７４の後面側には所定の間隔を置いて固定プレート７５が鉛直に配設される。固定プレート７５の前面には、前枠開錠用プレート７６が上下方向に所定距離だけ移動可能に配設される。固定プレート７５の後面には、内枠開錠用プレート７７が上下方向に所定距離だけ移動可能に配設される。前枠開錠用プレート７６と内枠開錠用プレート７７は、第１引張りコイルばね７８により、上下方向において互いに接近する方向の力を受けている。また、前枠開錠用プレート７６及び内枠開錠用プレート７７には、シリンダ錠７の作動ピン７ａを上下方向において挟むように、それぞれ押上作動部７６ａ及び押下作動部７７ａが設けられている。また、前枠開錠用プレート７６の右上部には、前枠２の第２前枠開錠用作動片６３を押上げる前枠開錠用押上片７３が右方へ延設されている。また、内枠開錠用プレート７７の右下端部には、内枠３の内枠開錠用作動片５３を押下げる内枠開錠用押下片７２が右後方へ延設されている。また、前枠開錠用プレート７６の左側面には、後述する前枠開錠用レバー７１を回動させるための、左下がりの傾斜面からなる第１前枠開錠用カム面７６bが形成されている。また、内枠開錠用プレート７７の左側面には、前枠開錠用レバー７１を回動させるための、左上がりの傾斜面からなる第２前枠開錠用カム面７７bが形成されている。
【００４５】
さらに、固定プレート７５の後面には、水平部７１ｂと垂直部７１ｃとからなるＬ字状の前枠開錠用レバー７１が軸部７１ｄを中心として鉛直面上で回動可能に設けられる。垂直部７１ｃの左下端部には、第２引張りコイルばね７９の一端が係止される。第２引張りコイルばね７９の他端は固定プレート７５の左下端部に係止される。また、垂直部７１ｃの右下端部には、開錠ピン８０が前方へ延設される。開錠ピン８０は、第２引張りコイルばね７９のばね力により、前枠開錠用プレート７６の第１前枠開錠用カム面７６ｂと内枠開錠用プレート７７の第２前枠開錠用カム面７７ｂとの交差部８１に圧接保持される。水平部７１ｂの右端部は、外枠１の開錠部材３４の第１前枠開錠用作動片４６を押下げる前枠開錠用押下片７２を構成する。
【００４６】
外枠１、内枠３及び前枠２が互いに施錠状態にあり、かつ、シリンダ錠７が操作されていないとき、前枠開錠用プレート７６は、第１引張りコイルばね７８のばね力により下方への付勢力を受けており、図示しないが、前枠開錠用プレート７６に設けられた上下方向に長い長孔の上端に、固定プレート７５に設けられた係止突起部が当接した状態にあり、前枠開錠用プレート７６は下端位置に保持され、前枠開錠用押上片７３は、前枠２の第２前枠開錠用作動片６３の下方近傍に位置する。また、内枠開錠用プレート７７は、第１引張りコイルばね７８のばね力により上方への付勢力を受けており、内枠開錠用プレート７７に設けられた上下方向に長い長孔７７ｃの下端に係止突起部８２が当接した状態にあり、内枠開錠用プレート７７は上端位置に保持され、内枠開錠用押下片７２は、内枠３の内枠開錠用作動片５３の上方近傍に位置する。また、前枠開錠用プレート７６の押上作動部７６ａと内枠開錠用プレート７７の押下作動部７７ａは、シリンダ錠７の作動ピン７ａを上下方向において挟んだ状態にある。また、前枠開錠用レバー７１の開錠ピン８０は、第２引張りコイルばね７９のばね力により前枠開錠用プレート７６の第１前枠開錠用カム面７６ｂと内枠開錠用プレート７７の第２前枠開錠用カム面７７ｂとの交差部８１に圧接保持され、前枠開錠用押下片７１ａは外枠１の開錠部材３４の第１前枠開錠用作動片４６の上方近傍に位置する。
【００４７】
Ｂ．  動作
i)  外枠１に対し、前枠２のみを開錠する時（図２１）
第１引張りコイルばね７８のばね力に抗してシリンダ錠７を反時計回り方向ｆへ回動操作すると、シリンダ錠７の作動ピン７ａは、前枠開錠用プレート７６の押上作動部７６ａを押上げながら回動する。押上作動部７６ａの上昇時、前枠開錠用レバー７１の開錠ピン８０は前枠開錠用プレート７６の前枠開錠用カム面７６ｂ上を移動し、前枠開錠用レバー７１は、軸部７１ｄ回りに時計回り方向（図２１図示矢印ｇ方向）へ回動する。この前枠開錠用レバー７１の回動により、前枠開錠用押下片７１ａは外枠１の開錠部材３４の第１前枠開錠用作動片４６を押下げ、この第１前枠開錠用作動片４６が押下げられると、第１施錠装置２０は上述したような動作をし、鉤板３２の係止爪部４３の拘束片４３ｂは前枠施錠用金具２２を解放するようになり、外枠１に対して前枠２を開錠することができる。また、押上作動部７６ａの上昇時、前枠開錠用プレート７６の前枠開錠用押上片７３は前枠２の第２前枠開錠用作動片６３を押上げ、前枠施錠用バネ係止孔部６２から前枠施錠用係止爪部４３が脱出可能になり、内枠３から前枠２を開錠することができる。
【００４８】
一方、シリンダ錠７を反時計回り方向ｆへ回動操作しても、内枠開錠用プレート７７は動作しないため、外枠１と内枠３の施錠状態は保持される。
【００４９】
ii)  外枠１に対し、内枠３と前枠２を施錠状態に保持したまま開錠する時（図２２）
引張りコイルばね７８のばね力に抗してシリンダ錠７を時計回り方向ｅへ回動操作すると、シリンダ錠７の作動ピン７ａは、内枠開錠用プレート７７の押下作動部７７ａを押下げながら回動する。押下作動部７７ａの下降時、前枠開錠用レバー７１の開錠ピン８０は内枠開錠用プレート７７の前枠開錠用カム面７７ｂ上を移動し、前枠開錠用レバー７１は、軸部７１ｄ回りに時計回り方向（図２２図示ｈ方向）へ回動する。この前枠開錠用レバー７１の回動により、前枠開錠用押下片７２は外枠１の開錠部材３４の第１前枠開錠用作動片４６を押下げ、この第１前枠開錠用作動片４６が押下げられると、第１施錠装置２０は上述したような動作をし、鉤板３２の係止爪部４３の拘束片４３ｂは前枠施錠用金具２２を解放するようになり、外枠１に対して前枠２を開錠することができる。また、押下作動部７７ａの下降時、内枠開錠用プレート７７の内枠開錠用押下片７２は内枠３の内枠開錠用作動片５３を押下げ、内枠３の内枠施錠用バネ係止孔部５１から外枠１の内枠施錠用係止爪部４３が脱出可能になり、外枠１から内枠３を開錠することができる。
【００５０】
一方、シリンダ錠７を時計回り方向ｅへ回動操作しても、前枠開錠用プレート７６は動作しないため、前枠２と内枠３の施錠状態は保持される。
【００５１】
以上説明したように、本実施形態のパチンコ遊技機は、外枠（第１枠体）１に設けられる施錠装置本体部２１と、前枠（第２枠体）２に設けられる前枠施錠用金具（金具）２２とからなる第１施錠装置（施錠装置）２０を備えるパチンコ遊技機において、施錠装置本体部２１は、外周部に係止爪部４３と突起状カム部３３とを有し、外枠１側の第１固定軸４２回りに回動可能な鉤板３２であって、係止爪部４３は前枠施錠用金具２２を拘束及び解放するよう構成され、突起状カム部３３は、第１カム部３３ａと第２カム部３３ｂとからなり、第１カム部３３ａと第２カム部３３ｂとの接続部位３３ｃが頂点となるよう突起状に構成された鉤板３２と、一端が外枠１側に係止されかつ他端が鉤板３２に係止され、前枠２を外枠１から離す方向と略一致する金具解放方向ａの回動力を鉤板３２に対して作用する捻りばね（解放ばね部材）３９と、外枠１側に設けられ、鉤板３２の金具解放方向ａへの回動の終端位置を規制するストッパー部（鉤板回動規制部）４１と、鉤板３２の突起状カム部３３に圧接するロックピン３１を有し、外枠１側の第２固定軸２７回りに回動可能なロック板２６と、一端が外枠１側に係止されかつ他端がロック板２６に係止され、ロックピン３１を突起状カム部３３に押圧する図１２図示矢印ｂ方向（所定方向）の回動力をロック板２６に対して作用する引張りコイルばね（ロックばね部材）２５と、外枠１側に設けられ、ロック板２６の所定方向ｂへの回動の終端位置を規制する第１係止突起部２４及び第１係止孔部４５（ロック板回動規制部）と、を備え、開錠状態のとき、ロックピン３１は第１カム部３３ａと接触状態に保持され、鉤板３２は捻りばね３９による金具解放方向ａの回動力を受けストッパー部４１と当接状態に保持されており、施錠時、鉤板３２に対し、前枠施錠用金具２２により、前枠２を外枠１に近づける方向と略一致する金具拘束方向ｃの回動力が加えられると、鉤板３２の第１カム部３３ａは、ロックピン３１との圧接状態を介してロック板２６を所定方向ｂとは逆方向ｄへ回動し、その後、ロックピン３１が突起状カム部３３の頂点３３ｃを越えると、第２カム部３３ｂは、ロック板２６の所定方向ｂへの回動を許容し、引張りコイルばね２５のばね力によってロックピン３１が第２カム部３３ｂを押圧しながら移動することにより鉤板３２は金具拘束方向ｃへ回動し、係止爪部４３は前枠施錠用金具２２を外枠１側へ抱き寄せながら拘束し、ロック板２６は所定方向ｂへの回動の終端位置に達し、不正行為時、外部から鉤板３２に対して金具解放方向ａの回動力が加えられたとき、ロック板回動規制部２４、４５はロック板２６の所定方向ｂへの回動を規制し、ロックピン３１と第２カム部３３ｂとの圧接状態を保持する。
【００５２】
本実施形態によると、外部から不正行為により鉤板３２に対して金具解放方向ａの回動力が加えられても、ロック板回動規制部２４、４５によりロック板２６の所定方向ｂへの回動が規制され、ロックピン３１と第２カム部３３ｂとの圧接状態が保持されるようになるため、鉤板３２は金具解放方向ａへ回動しない。このため、係止爪部４３は前枠施錠用金具２２を拘束した状態を保ち、不正行為を防止することができる。
【００５３】
また、施錠時、ロックピン３１が突起状カム部３３の頂点３３ｃを越えると、引張りコイルばね２５のばね力によってロックピン３１が第２カム部３３ｂを押圧しながら移動し、係止爪部４３は前枠施錠用金具２２を外枠１側へ抱き寄せながら拘束するようになるため、前枠２を外枠１へ十分に接近させることが可能になり、外枠１と前枠２との間の隙間を極小化することができる。
【００５４】
また、本実施形態の第１施錠装置２０は、外部から開錠操作力を受ける開錠部材３４を備え、係止爪部４３が前枠施錠用金具２２を拘束した施錠状態にあるとき、開錠部材３４に開錠操作力が加えられると、開錠部材３４は、ロック板２６に作用している引張りコイルばね２５による回動力に打ち勝ち、ロック板２６を所定方向ｂとは逆方向ｄへ回動し、ロックピン３１と第２カム部３３ｂとの圧接状態を解除するよう構成され、ロックピン３１と第２カム部３３ｂとの圧接状態が解除されると、鉤板３２が捻りばね３９のばね力により金具解放方向ａへ回動し、係止爪部４３は拘束していた前枠施錠用金具２２を解放し、鉤板３２はストッパー部４１に当接する。
【００５５】
また、第２固定軸２７は、ロック板２６の長手方向の一端部に配されるとともに、ロックピン３１は、ロック板２６の長手方向の他端部に配され、引張りコイルばね２５のロック板２６での係止部位は、ロック板２６の長手方向において第２固定軸２７とロックピン３１との中間位置に配される。
【００５６】
このように、第２固定軸２７がロック板２６の長手方向の一端部に配されるとともにロックピン３１がロック板２６の長手方向の他端部に配されるため、施錠時、鉤板３２が金具拘束方向ｃへ回動するときロックピン３１が鉤板３２の突起状カム部３３と圧接状態で移動する距離を短くすることができる。また、第２固定軸２７からロックピン３１までの距離は、第２固定軸２７から引張りコイルばね２５の連結部位までの距離よりも長いため、ロックピン３１が突起状カム部３３の第１カム部３３ａを押圧する力を小さくすることができ、このため、施錠時に、鉤板３２を金具拘束方向ｃへ回動させるために前枠施錠用金具２２が鉤板３２に対して作用する力を小さくすることができ、施錠作業が楽になる。
【００５７】
また、開錠部材３４がロック板２６に所定方向ｂとは逆方向ｄの回動力を作用する部位は、ロック板２６の長手方向において引張りコイルばね２５のロック板２６での係止部位とロックピン３１との中間位置にある。
【００５８】
第２固定軸２７から開錠部材３４がロック板２６に作用する部位までの距離は、第２固定軸２７から引張りコイルばね２５のロック板２６での係止部位までの距離よりも長いため、開錠部材３４がロック板２６に作用する力を小さくすることができ、このため、開錠作業が楽になる。
【００５９】
また、施錠装置本体部２１を外枠１に設けるとともに前枠施錠用金具２２を前枠２に設けたことにより、内枠３を外枠１と前枠２とで挟む構造にすることができる。このようなサンドイッチ構造において外枠１と前枠２との間の隙間を極小化することができるため、内枠３の遊技盤に対する不正行為を防止することが可能になる。
【００６０】
また、外枠１、前枠２及び内枠３が互いに施錠されているとき、外枠１の右側板（側板）１３の外面と前枠２の右側板部（側板）１４の外面とが面一となる状態の下で外枠１の右側板１３の前端部と前枠２の右側板部１４の後端部とが重なり合い、内枠３の右側板部（側板）１５は、外部に露出しないよう構成したため、外枠１の右側板１３と前枠２の右側板部１４との間の隙間を利用した不正行為が困難になる。
【符号の説明】
【００６１】
１    外枠（第１枠体）
２    前枠（第２枠体）
３    内枠
１３    （外枠１の）右側板
１４    （前枠２の）右側板部
１５    （内枠３の）右側板部
２０    第１施錠装置（施錠装置）
２１    施錠装置本体部
２２    前枠施錠用金具（金具）
２４    第１係止突起部（ロック板回動規制部）
２５    引張りコイルばね（ロックばね部材）
２６    ロック板
２７    第２固定軸
２８    第２係止孔部
３１    ロックピン
３２    鉤板
３３    突起状カム部
３３ａ    第１カム部
３３ｂ    第２カム部
３３ｃ    接続部位（頂点）
３４    開錠部材
３９    捻りばね（解放ばね部材）
４１    ストッパー部（鉤板回動規制部）
４２    第１固定軸
４３    係止爪部
４５    第１係止孔部（ロック板回動規制部）
【図１】
2010264123.tif 000003
【図２】
2010264123.tif 000004
【図３】
2010264123.tif 000005
【図４】
2010264123.tif 000006
【図５】
2010264123.tif 000007
【図６】
2010264123.tif 000008
【図７】
2010264123.tif 000009
【図８】
2010264123.tif 000010
【図９】
2010264123.tif 000011
【図１０】
2010264123.tif 000012
【図１１】
2010264123.tif 000013
【図１２】
2010264123.tif 000014
【図１３】
2010264123.tif 000015
【図１４】
2010264123.tif 000016
【図１５】
2010264123.tif 000017
【図１６】
2010264123.tif 000018
【図１７】
2010264123.tif 000019
【図１８】
2010264123.tif 000020
【図１９】
2010264123.tif 000021
【図２０】
2010264123.tif 000022
【図２１】
2010264123.tif 000023
【図２２】
2010264123.tif 000024